(57)【特許請求の範囲】
【請求項１】
その周速度がストリップの送り速度と同期可能である、カッタを装備された少なくとも１つのカッタドラムを有するフライングシャーにおいて、
アンビルの代わりに、カッタドラム（１１）の衝突によって加速されるストリップ（４）の質量と、圧下装置を介して作用位置に移動されるカッタドラム（１１）によって転向される際に生じたストリップ（４）の張力が利用されるように、カッタドラム（１１）が移動可能に形成されていることを特徴とするシャー。
【請求項２】
カッタドラム（１１）が、圧下装置を介して作用位置へと移動可能であり、この作用位置において、カッタドラム（１１）のカッタ（１０）が、ストリップ（４）と切断接触していることを特徴とする請求項１に記載のシャー。
【請求項３】
カッタドラム（１１）の作用位置において、カッタ（１０）が、部分的にのみストリップ（４）に侵入し、これにより、ストリップ（４）の横断面に弱体化箇所が生じ、この弱体化箇所で、ストリップが、ストリップ（４）に加えられる長手方向の力に基づいて分離されることを特徴とする請求項１に記載のシャー。
【発明の詳細な説明】
【０００１】
本発明は、その周速度がストリップの送り速度と同期可能である、カッタを装備された少なくとも１つのカッタドラムを有するフライングシャーに関する。
【０００２】
同期されるこの様式のシャーは、例えば、ストリップを横方向に分割するための高速度シャーとして、独国特許出願公開明細書第１９６  ３７  ８６２号から公知である。ここでは、対置し、互いに圧下可能な２つのドラムが利用され、これらドラムの両方がカッタを装備されており、しかしながらまたこれらのドラムの一方は、アンビルを備えるか、アンビルとして利用されるのかのいずれかである。
【０００３】
圧下経路は、互いに対置するドラムの両方のブレードが僅かな間隔で互いにオーバーラップするか、カッタのシャーエッジが、対置するロールのアンビルか、しかしながらロールの外周かに圧力の下で当接するように設定されている。しかしながら、この様式のシャー工程にあっては、ブレード並びに場合によっては使用されるアンビル面の摩耗が望ましくないほど大きいということが判明し、また、カッタをアンビルに正確に当接させるため、又は両方のカッタにより定義される切断のためには、申し分のない切断効率を保証するために、最も狭い許容差内でのシャーの製造が行なわれなければならないということが、製造を高価なものにすると実証された。
英国特許公開明細書第２  ２０３  ６７７号は、既に、カッタ及びアンビルを備え、切断すべきストリップだけが切り込まれるように互いに調整されているシャー装置を開示する。ストリップへの張力を後から加えることによって、切り込み部を裂断し、従ってストリップを分離する。このシャー装置にあっては、カッタドラム以外に費用をかけて同期させなければならないアンビルドラムが必要とされる。加えて、ストリップがアンビルドラムと接触する際に、ストリップの損害が生じてしまう。
【０００４】
本発明は、摩耗及び原価を最小にし、製造するに当たり拡大された許容差を、切断効率を損なうことなく可能にするこの種のシャーを得るという課題から出発する。
【０００５】
この課題は、特許請求項１の特徴により解決される。これは、カッタ又は楔をストリップ内へと部分的にしか侵入させないことによって、切断箇所におけるストリップの横断面を限定的に著しく制限することを、また、その際、分離を、ストリップに加えられる張力によって実施することを可能にし、その際、相応に費用のかかる同期をさせるアンビルドラムの使用が省略される。有利で、有効な、そして発明的な先進の特徴は、従属請求項に読み取ることができる。
【０００６】
本発明の特徴を、実施例の記載により、これを図示した図面と関連させて詳細に説明する。
【０００７】
図１には、カッタもしくは楔１０を担持するカッタドラム１１が図示されている。カッタドラム１１は、レバーアーム１２の終端部に設けられており、このレバーアームには、連接棒１３を介して力操作可能な偏心輪１４が付設されている。
【０００８】
通常、高速度シャーの場合、カッタドラム１１は、そのカッタ１０がストリップ４に到達しない距離で、ストリップ４の上に位置する。しかしながら切断を実施するためには、ストリップ速度と一致する周速度で複数の回転装置を介して駆動されるカッタドラム１１が、圧下装置によって、自発的にストリップへ向かう方向に前進させられ、従って、カッタ１０は、ストリップ４へと侵入し、ストリップを残余厚みへとまで分離する。
【０００９】
低速で走通するストリップにおいては、圧下装置を省略する可能性があり、また、固定の間隔でストリップ４に対して設けられたカッタドラム１１を、それぞれ作用位置にもたらす間に、カッタドラム１１の回転装置を介して、ストリップ速度に一致する周速度に加速させる可能性がある。
【００１０】
矢印の方向に走通するストリップ４には、今や、ストリップ４が、カッタ１０によって強く弱体化された分離箇所で裂断するような張力が加えられる。
【００１１】
従って、分離は純粋な切断として実施されるのではなく、カッタ１０又は楔がストリップ４の材料へと侵入することによってのみ、このストリップが分離箇所で本質的に弱体化される規模で実施される。最終的な分離に対して必要な張力は、種々に加えることができる。一つには、ストリップ４自身にこの張力を加えることが可能であり、しかしながらまた、カッタドラム１１の周速度を、ストリップ４の送り速度よりもいくらか遅く、又はいくらか速く維持するという可能性もあり、従ってストリップ４の裂断を実現する張力は、カッタ１０と、ストリップ４の先端部もしくは後端部との間で生じさせられる。しかしながらまた、速度差もしくは張力差を、これらによって分離が生じさせられるように設定する可能性もある。
【００１２】
この例においては、ストリップ４は、コイラ９によって引っ張られる。楔１０を装備されたカッタドラム１１は、レバーアーム１２の終端部において回転する。切断のために偏心輪１４が操作され、連接棒１３を介して、レバーアーム１２とカッタドラム１１をその作用位置１５へと揺動する。
【００１３】
その作用位置１５において、カッタドラム１１がストリップ４を下に向かって線１６に対して撓め、この際、ストリップ４の質量へのカッタドラムの衝突と、ストリップを転向させる際に生じた力によって、楔１０がストリップ４内へと侵入する。この場合、ストリップ４を引っ張ることによって、及び／又は部分的に侵入させられる楔１０を有するカッタドラムを回転させることによって生じる長手方向の力がストリップ４を分離する。
【００１４】
本発明はいくつかの変形例の可能性がある。従って圧下装置として、レバーアームに作用する液圧ピストンを、直進機構に作用する液圧ピストンと同様に設けることができる。また、接合板を介してレバーアームの揺動角度を設定する偏心輪装置も、又はその偏心輪が、直接レバーアームのガイドへと係合する偏心輪装置も可能である。それぞれの場合においては、目標とされた摩耗低減も、狭い許容差内でのシャー部分の加工の省略も実現し、従って、課題により、簡単に構成され、相対的に僅かな摩耗しか受けないシャーが提供される。
【図面の簡単な説明】
【図１】  圧下装置を利用するシャーを示す。
【符号の説明】
４      ストリップ
９      コイラ
１０    カッタもしくは楔
１１    カッタドラム
１２    レバーアーム
１３    連接棒
１４    偏心輪
１５    作用位置
１６    線
【図１】
0004869481.tif 000002